(57)【特許請求の範囲】
【請求項１】
測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部と、
前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定部と、
前記品質情報測定指示状態判定部により、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定部と、
を備えることを特徴とするエリア品質情報測定装置。
【請求項２】
前記エリア品質情報測定部は、
前記Ａ−ＧＰＳ測位方式による測位処理過程のうちの前記概略位置情報の算出処理過程において、
前記基地局が前記移動端末機の現在緯度経度を示す緯度経度情報を算出してから、当該基地局が前記測位処理装置に対して当該緯度経度情報を応答する応答信号を送信するまでの間に、前記エリア品質情報を測定することを特徴とする請求項１に記載のエリア品質情報測定装置。
【請求項３】
前記エリア品質情報測定部は、
前記緯度経度情報を応答する応答信号に対して、前記エリア品質情報測定部により測定された前記エリア品質情報を前記緯度経度情報と併せて付加することを特徴とする請求項２に記載のエリア品質情報測定装置。
【請求項４】
前記エリア品質情報測定部は、
前記Ａ−ＧＰＳ測位方式による測位処理過程のうちの前記測位処理装置から送信された前記概略位置情報を含む前記アシストデータに基づいて行うＧＰＳ（Ｇｌｏｂａｌ  Ｐｏｓｉｔｉｏｎｉｎｇ  Ｓｙｓｔｅｍ）測位処理過程において、
前記基地局が前記測位処理装置から送信された前記アシストデータを受信してから、当該基地局が前記移動端末機から送信された前記ＧＰＳ測位処理結果を応答する応答信号を受信するまでの間に、前記エリア品質情報を測定することを特徴とする請求項１に記載のエリア品質情報測定装置。
【請求項５】
前記エリア品質情報測定部は、
前記概略位置情報を応答する応答信号が送信された後に送信される当該応答信号とは別の信号に対して、前記エリア品質情報測定部により測定された前記エリア品質情報を付加することを特徴とする請求項４に記載のエリア品質情報測定装置。
【請求項６】
前記移動端末機を所持する加入者を一意に特定する加入者情報に対応付けて管理されている、前記Ａ−ＧＰＳ測位方式による測位処理のサービス利用契約有無を示す契約情報を取得する契約情報取得部と、
前記契約情報取得部により取得された前記契約情報に基づいて、前記Ａ−ＧＰＳ測位方式による測位処理のサービス利用契約が有ると判定された前記移動端末機に送信される前記基地局測位処理要求信号に対して、前記エリア品質情報測定指示情報を付加するエリア品質情報測定指示付加部と、
をさらに備えることを特徴とする請求項１〜５のいずれか１項に記載のエリア品質情報測定装置。
【請求項７】
測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部と、
前記基地局測位処理要求信号受信部が前記基地局測位処理要求信号を受信した場合に前記基地局測位処理を行う緯度経度情報算出部と、
前記Ａ−ＧＰＳ測位方式による測位処理過程のうちの前記測位処理装置から送信された、前記緯度経度情報算出部が前記基地局測位処理において算出した前記概略位置情報を含む前記アシストデータに基づいて、前記移動端末機が行うＧＰＳ（Ｇｌｏｂａｌ  Ｐｏｓｉｔｉｏｎｉｎｇ  Ｓｙｓｔｅｍ）測位処理による測位が成功したと前記測位処理装置において判断された場合、又は、前記基地局測位処理にて算出された概略位置の誤差情報が十分小さいと前記測位処理装置において判断された場合に限り、前記移動端末機が在圏しているエリアを受け持つ基地局から送信された電波を受信した時の受信状態を表す情報であるエリア品質情報を測定するエリア品質情報測定部と、
を備えることを特徴とするエリア品質情報測定装置。
【請求項８】
前記Ａ−ＧＰＳ測位方式は、
ＳＵＰＬ（Ｓｅｃｕｒｅ  Ｕｓｅｒ  Ｐｌａｎｅ  Ｌｏｃａｔｉｏｎ）を用いたＡ−ＧＰＳ測位方式であることを特徴とする請求項１〜７のいずれか１項に記載のエリア品質情報測定装置。
【請求項９】
基地局測位処理要求信号受信部が、測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信ステップ、
品質情報測定指示状態判定部が、前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定ステップ、
エリア品質情報測定部が、前記品質情報測定指示状態判定ステップにより、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定ステップを有することを特徴とするエリア品質情報測定方法。
【請求項１０】
コンピュータを、
測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部、
前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定部、
前記品質情報測定指示状態判定部により、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定部として機能させるためのエリア品質情報測定プログラム。
【発明の詳細な説明】
【技術分野】
【０００１】
本発明は、エリア品質情報測定装置、エリア品質情報測定方法及びエリア品質情報測定プログラムに関し、特に移動端末機の現在位置を測定する測位処理の際に、サービスエリア内の各エリアにおける電波の受信状態等のエリア品質情報を測定するエリア品質情報測定装置、エリア品質情報測定方法及びエリア品質情報測定プログラムに関する。
【背景技術】
【０００２】
しかしながら、いずれの場合にも、調査スケジュールを計画した上でエリア品質情報を測定しなければならないため、調査に人手や時間を要していた。故に、上記で説明したような電波測定車両等による走行調査を行うことでエリア品質情報を収集するのみでは、極め細かなエリア毎のエリア品質情報を収集することが困難であった。
【０００３】
ところで、移動端末機の現在位置を測定する測位方式の一つに、ＧＰＳ（Ｇｌｏｂａｌ  Ｐｏｓｉｔｉｏｎｉｎｇ  Ｓｙｓｔｅｍ）測位方式がある。一例として、下記の特許文献１の無線通信ネットワークシステムにおいても、ＧＰＳ測位方式により測位処理を行っている。このＧＰＳ測位方式にあっては、移動端末機とネットワーク側の測位処理装置との間で測位処理に必要なデータを送受信する際に、Ｃ−Ｐｌａｎｅ（Ｃｏｎｔｒｏｌ−Ｐｌａｎｅ）を用いてきた。なお、Ｃ−Ｐｌａｎｅとは、通信処理を確立したり、切断したりするために必要な制御信号を送受信するための伝送路のことである。一方、エリア品質情報についてもＲＮＣ（Ｒａｄｉｏ  Ｎｅｔｗｏｒｋ  Ｃｏｎｔｒｏｌｌｅｒ）からＣ−Ｐｌａｎｅにて移動端末機に対して測定要求を行うことで、移動端末機から所定の品質情報を取得することができる。
【０００４】
このため、ネットワーク側の測位処理装置から移動端末機に対して、Ｃ−Ｐｌａｎｅにより測位処理を行うように要求する際に、複数のネットワーク無線基地局を統括して制御する基地局無線ネットワーク制御局であるＲＮＣ（Ｒａｄｉｏ  Ｎｅｔｗｏｒｋ  Ｃｏｎｔｒｏｌｌｅｒ）において、Ｃ−Ｐｌａｎｅにて移動端末機が測位処理を行うと同時に、品質測定を行うことができた。
【先行技術文献】
【特許文献】
【０００５】
【特許文献１】特開２０１２−０１５９１０号公報
【発明の概要】
【発明が解決しようとする課題】
【０００６】
ところが、ＧＰＳ測位方式であっても、幾つかの測位方式がある。その測位方式の一つに、ＳＵＰＬ（Ｓｅｃｕｒｅ  Ｕｓｅｒ  Ｐｌａｎｅ  Ｌｏｃａｔｉｏｎ）によるＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式がある。このＳＵＰＬを用いたＡ−ＧＰＳ測位方式（ＳＵＰＬ測位方式）は、急速に普及しつつあるスマートフォン等の移動端末機において比較的多く利用されている測位方式である。
【０００７】
上記の背景技術で説明したＧＰＳ測位方式にあっては、移動端末機と測位処理装置との間で測位処理に必要なデータを送受信するために、Ｃ−Ｐｌａｎｅを用いるものであった。これに対して、ＳＵＰＬを用いたＡ−ＧＰＳ測位方式は、移動端末機と測位処理装置との間でアシストデータを送信するためのベアラに、Ｃ−Ｐｌａｎｅではなく、Ｕ−Ｐｌａｎｅ（Ｕｓｅｒ−Ｐｌａｎｅ）を用いて測位処理を行うものである。なお、Ｕ−Ｐｌａｎｅとは、ユーザデータを送受信するための伝送路のことである。従って、ＳＵＰＬを用いたＡ−ＧＰＳ測位方式においては、測位処理の際にＲＮＣにおいてエリア品質測定を行う契機が存在しないため、品質測定を行うことができなかった。つまり、Ｃ−Ｐｌｎｅを用いた測位の場合にはＲＮＣにて測位要求信号をＣ−Ｐｌａｎｅにて受信するため、それを契機として同時に品質情報をＣ−Ｐｌａｎｅにて測定することが可能である。しかしながら、ＳＵＰＬを用いたＡ−ＧＰＳ測位方式においては、Ｕ−Ｐｌａｎｅ信号にて測位要求がなされるため、ＲＮＣでは測位要求を単なるユーザデータとして認識するにすぎない。このため、ＳＵＰＬを用いたＡ−ＧＰＳ測位方式においては、測位要求信号を契機とした品質測定を行うことができない。
【０００８】
また、ＳＵＰＬを用いたＡ−ＧＰＳ測位方式による測位処理が行われる前に行う基地局（セルベース）測位処理はＣ−Ｐｌａｎｅ信号を用いて行われるため、基地局測位処理において、エリア品質情報を測定することも可能である。しかしながら、この基地局測位処理の際にエリア品質測定を行うと概位置及び基地局測位結果の取得時間が延びてしまい、結果として測位に要する時間及び基地局測位結果通知の時間が延びてしまう。つまり、基地局測位はセル位置をベースに算出するため即時に計算が可能であるが、エリア品質情報の収集は端末へ測位指示し、品質情報を報告させる必要があるため、基地局測位処理より時間を要する。また、概位置取得のための基地局測位処理と他の基地局測位とを区別できないので基地局測位結果のみを必要とするサービスにおいてもエリア品質測定を行う分の処理時間を要する。例えば、ＷＥＢ掲示板に特定のエリアの人だけ書き込めるようなサービスが考えられる。こういったサービスではおおよその位置が分かればよいので、基地局測位結果を利用して書き込み可能なエリアにいるかの判断を行う。そのため、即座に基地局測位結果を取得する必要がある。つまり、基地局測位結果のみを必要とするサービスにおいて基地局測位結果を取得する為にエリア品質測定を行う分の処理時間を要することはサービスの迅速性を妨げることになり、好ましくない。
【０００９】
また、ＳＵＰＬを用いたＡ−ＧＰＳ測位方式による測位処理に伴わない全ての基地局測位処理が行われる度にエリア品質情報を測定してしまうと、常に、測位処理を行うために要する処理時間が、本来の処理時間を上回ってしまう。このように、上記の処理時間において基地局測位処理が完了するサービスにおいて、エリア品質情報を測定するために要する処理時間を許容してしまうことは、測位サービスとして成り立たない。従って、全ての基地局測位処理が行われる度に、一律に品質測定を行うことができなかった。
【００１０】
そこで、本発明は、上記の課題に鑑み、移動端末機と測位処理装置との間でアシストデータを送信するために、Ｕ−Ｐｌａｎｅを用いて測位処理を行う際には、その測位処理に並行してエリア品質情報を測定することのできるエリア品質情報測定装置、エリア品質情報測定方法及びエリア品質情報測定プログラムを提供することを目的とする。
【課題を解決するための手段】
【００１１】
本発明によるエリア品質情報測定装置は、上記の目的を達成するために、次のように構成される。
本発明のある態様によるエリア品質情報測定装置は、測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部と、前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定部と、前記品質情報測定指示状態判定部により、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定部と、を備えることを特徴とする。
【００１２】
上記のエリア品質情報測定装置によれば、エリア品質情報測定部が、移動端末機と測位処理装置との間でアシストデータを送信するために、Ｕ−Ｐｌａｎｅを用いて測位処理を行うＡ−ＧＰＳ測位方式による測位処理に伴う基地局測位処理を行う際には、そのＡ−ＧＰＳ測位方式による測位処理に並行してエリア品質情報を測定する。しかしながら、上記の測位方式による測位処理に伴わない基地局測位処理を行う際には、エリア品質情報を測定しない。
【００１３】
このように、全ての基地局測位処理が行われる度にエリア品質情報を測定するわけではない。このため、基地局測位処理を行う際に、常に、測位処理を行うために要する処理時間が、本来の処理時間を上回ってしまうことがない。
これにより、測位処理のサービスレベルを下げることなく、サービスエリアの全体を網羅するように極め細かなエリア毎のエリア品質情報を収集することが可能となる。
また、Ａ−ＧＰＳ測位方式による測位処理に伴う基地局測位処理であっても、そのＡ−ＧＰＳ測位方式による測位が緊急通報時の位置通知など一切の遅延を許されない場合やユーザ拒否など品質測定を望まれない場合には、品質測定を除外できる。
【００１４】
本発明のある態様によるエリア品質情報測定装置は、前記エリア品質情報測定部は、前記Ａ−ＧＰＳ測位方式による測位処理過程のうちの前記概略位置情報の算出処理過程において、前記基地局が前記移動端末機の現在緯度経度を示す緯度経度情報を算出してから、当該基地局が前記測位処理装置に対して当該緯度経度情報を応答する応答信号を送信するまでの間に、前記エリア品質情報を測定することを特徴とする。
【００１５】
上記のエリア品質情報測定装置によれば、エリア品質情報測定部が、Ｕ−Ｐｌａｎｅを用いて測位処理を行うＡ−ＧＰＳ測位方式による測位処理に伴う基地局測位処理を行う際に、その基地局測位処理に並行してエリア品質情報を測定することが可能となる。
本発明のある態様によるエリア品質情報測定装置は、前記エリア品質情報測定部は、前記緯度経度情報を応答する応答信号に対して、前記エリア品質情報測定部により測定された前記エリア品質情報を前記緯度経度情報と併せて付加することを特徴とする。
【００１６】
上記のエリア品質情報測定装置によれば、エリア品質情報測定部が、緯度経度情報と同時に、エリア品質情報が送信されるように、エリア品質情報を緯度経度情報と併せて付加する。
これにより、緯度経度情報とエリア品質情報とを別々に送信するよりも応答信号数が少なくなる。よって、応答信号を送受信することによる無線通信ネットワークシステムを構成する各装置等の処理負荷を増やさないようにすることが可能となる。
【００１７】
本発明のある態様によるエリア品質情報測定装置は、前記エリア品質情報測定部は、前記Ａ−ＧＰＳ測位方式による測位処理過程のうちの前記測位処理装置から送信された前記概略位置情報を含む前記アシストデータに基づいて行うＧＰＳ（Ｇｌｏｂａｌ  Ｐｏｓｉｔｉｏｎｉｎｇ  Ｓｙｓｔｅｍ）測位処理過程において、前記基地局が前記測位処理装置から送信された前記アシストデータを受信してから、当該基地局が前記移動端末機から送信された前記ＧＰＳ測位処理結果を応答する応答信号を受信するまでの間に、前記エリア品質情報を測定することを特徴とする。
【００１８】
上記のエリア品質情報測定装置によれば、エリア品質情報測定部が、Ｕ−Ｐｌａｎｅを用いて測位処理を行うＡ−ＧＰＳ測位方式による測位処理に伴う基地局測位処理を行う際に、その基地局測位処理後に行われるＧＰＳ測位処理に並行してエリア品質情報を測定することが可能となる。
本発明のある態様によるエリア品質情報測定装置は、前記エリア品質情報測定部は、前記概略位置情報を応答する応答信号が送信された後に送信される当該応答信号とは別の信号に対して、前記エリア品質情報測定部により測定された前記エリア品質情報を付加することを特徴とする。
【００１９】
上記のエリア品質情報測定装置によれば、エリア品質情報測定部が、緯度経度情報を応答する応答信号が送信された後に送信されるその応答信号とは別の信号に対して、エリア品質情報測定部により測定されたエリア品質情報を付加する。
つまり、基地局測位方式により測位処理を行ったことにより得られた緯度経度情報と、エリア品質情報測定部により測定されたエリア品質情報とを２回に分けて送信することになる。しかしながら、エリア品質情報測定部が、上記のＧＰＳ測位処理過程において、その処理時間に収まるように、その測位処理に並行してエリア品質情報を測定することが可能となる。
【００２０】
また、本発明のある態様によるエリア品質情報測定装置は、測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部と、
前記基地局測位処理要求信号受信部が前記基地局測位処理要求信号を受信した場合に前記基地局測位処理を行う緯度経度情報算出部と、
前記Ａ−ＧＰＳ測位方式による測位処理過程のうちの前記測位処理装置から送信された、前記緯度経度情報算出部が前記基地局測位処理において算出した前記概略位置情報を含む前記アシストデータに基づいて、前記移動端末機が行うＧＰＳ（Ｇｌｏｂａｌ  Ｐｏｓｉｔｉｏｎｉｎｇ  Ｓｙｓｔｅｍ）測位処理による測位が成功したと前記測位処理装置において判断された場合、又は、前記基地局測位処理にて算出された概略位置の誤差情報が十分小さいと前記測位処理装置において判断された場合に限り、前記移動端末機が在圏しているエリアを受け持つ基地局から送信された電波を受信した時の受信状態を表す情報であるエリア品質情報を測定するエリア品質情報測定部と、
を備えることを特徴とする。このようにすれば、ＧＰＳ測位処理が成功した場合に限り、品質測定処理を行うことにより、システム全体の負荷を軽減でき、かつ、測定したエリア品質情報を有効に活用することができる。
【００２１】
本発明のある態様によるエリア品質情報測定装置は、前記移動端末機を所持する加入者を一意に特定する加入者情報に対応付けて管理されている、前記Ａ−ＧＰＳ測位方式による測位処理のサービス利用契約有無を示す契約情報を取得する契約情報取得部と、前記契約情報取得部により取得された前記契約情報に基づいて、前記Ａ−ＧＰＳ測位方式による測位処理のサービス利用契約が有ると判定された前記移動端末機に送信される前記基地局測位処理要求信号に対して、前記エリア品質情報測定指示情報を付加するエリア品質情報測定指示付加部と、をさらに備えることを特徴とする。
【００２２】
上記のエリア品質情報測定装置によれば、エリア品質情報測定指示付加部が、契約情報取得部により取得された契約情報に基づいて、Ｕ−Ｐｌａｎｅを用いて測位処理を行うＡ−ＧＰＳ測位方式による測位処理のサービス利用契約が有ると判定された移動端末機に送信される基地局測位処理要求信号に対して、前記エリア品質情報測定指示情報を付加する。そして、上記で説明した品質情報測定指示状態判定部が、エリア品質情報測定指示情報が基地局測位処理要求信号に対して付加されているか否かを判定する。
最後に、エリア品質情報測定部が、Ｕ−Ｐｌａｎｅを用いて測位処理を行うＡ−ＧＰＳ測位方式による測位処理に伴う基地局測位処理を行う際には、そのＡ−ＧＰＳ測位方式による測位処理に並行して、上記で説明したエリア品質情報を測定することが可能となる。
【００２３】
本発明のある態様によるエリア品質情報測定装置は、前記Ａ−ＧＰＳ測位方式は、ＳＵＰＬ（Ｓｅｃｕｒｅ  Ｕｓｅｒ  Ｐｌａｎｅ  Ｌｏｃａｔｉｏｎ）を用いたＡ−ＧＰＳ測位方式であることを特徴とする。
上記のエリア品質情報測定装置によれば、急速に普及しつつあるスマートフォン等の移動端末機において比較的多く利用されている測位方式の一つである、ＳＵＰＬを用いたＡ−ＧＰＳ測位方式による測位処理を行う際にも、その測位処理に並行してエリア品質情報を測定することも可能である。
【００２４】
本発明のある態様によるエリア品質情報測定方法は、基地局測位処理要求信号受信部が、測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信ステップ、品質情報測定指示状態判定部が、前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定ステップ、エリア品質情報測定部が、前記品質情報測定指示状態判定ステップにより、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定ステップを有することを特徴とする。
【００２５】
上記のエリア品質情報測定方法によれば、上記で説明した各処理ステップを実行することによって、Ｕ−Ｐｌａｎｅを用いて測位処理を行うＡ−ＧＰＳ測位方式による測位処理に伴う基地局測位処理を行う際には、そのＡ−ＧＰＳ測位方式による測位処理に並行してエリア品質情報を測定することが可能となる。
【００２６】
本発明のある態様によるエリア品質情報測定プログラムは、コンピュータを、
測位対象である移動端末機と測位処理演算を行う測位処理装置との間でアシストデータを送信するために、ユーザデータを送受信するための伝送路であるＵ−Ｐｌａｎｅ（Ｕｓｅｒ−Ｐｌａｎｅ）を用いて測位処理を行うＡ−ＧＰＳ（Ａｓｓｉｓｔｅｄ−Ｇｌｏｂａｌ  Ｐｏｓｉｔｉｏｎｉｎｇ  Ｓｙｓｔｅｍ）測位方式による測位処理過程において、前記測位処理装置から前記移動端末機の概略位置を示す概略位置情報を算出するために基地局測位処理を行うことを要求する信号である基地局測位処理要求信号を受信する基地局測位処理要求信号受信部、前記移動端末機が在圏しているエリアを受け持つ基地局から送信された電波を受信した時の受信状態を表す情報であるエリア品質情報を測定することを指示する情報であるエリア品質情報測定指示情報が、前記基地局測位処理要求信号に対して付加されているか否かを判定する品質情報測定指示状態判定部、前記品質情報測定指示状態判定部により、前記エリア品質情報測定指示情報が前記基地局測位処理要求信号に対して付加されていると判定された場合に前記エリア品質情報を測定し、前記エリア品質情報測定指示情報が前記基地局測位処理要求信号に対して付加されていないと判定された場合に前記エリア品質情報を測定しないエリア品質情報測定部として機能させるためのプログラムである。
【００２７】
上記のエリア品質情報測定プログラムによれば、無線通信ネットワークシステムを構成する各装置の一つであって、測位サービスを提供する上で必要な処理を制御したり、実際に測位処理を行ったりするプラットフォームである測位処理装置や基地局等において、上記の概略位置情報算出プログラムを実行する。すると、測位処理装置や基地局等において、上記で説明したエリア品質情報測定装置やエリア品質情報測定方法と同じ作用を得ることが可能となる。
【発明の効果】
【００２８】
本発明によれば、移動端末機と測位処理装置との間でアシストデータを送信するために、Ｕ−Ｐｌａｎｅを用いて測位処理を行うＡ−ＧＰＳ測位方式による測位処理に伴う基地局測位処理を行う際には、そのＡ−ＧＰＳ測位方式による測位処理に並行してエリア品質情報を測定する。しかしながら、上記の測位方式による測位処理に伴わない基地局測位処理を行う際には、エリア品質情報を測定しない。
【００２９】
このように、全ての基地局測位処理が行われる度にエリア品質情報を測定するわけではない。このため、基地局測位処理を行う際に、常に、測位処理を行うために要する処理時間が、本来の処理時間を上回ってしまうことがない。
これにより、測位処理のサービスレベルを下げることなく、サービスエリアの全体を網羅するように極め細かなエリア毎のエリア品質情報を収集することができる。また、その測定されたエリア品質情報を基に作成されたエリア品質情報レポートを活用して、例えば、ネットワーク無線基地局等の既設設備のメンテナンスや、各エリアの受信状態の改善作業、さらには効率的なエリア設計を行うことができる。その結果として、無線通信ネットワークシステムのサービスを提供する上でのサービス品質を向上させることができる。
【図面の簡単な説明】
【００３０】
【図１】本実施形態に係るエリア品質情報測定機能部６０を用いて構成される無線通信ネットワークシステム１０のシステム構成を示すシステム構成図である。
【図２】ＲＮＣ２２に設けられたエリア品質情報測定機能部６０の機能構成を示すブロック図である。
【図３】ＥＢＳＣＰ４２に設けられたエリア品質情報測定機能部８０の機能構成を示すブロック図である。
【図４】エリア品質情報測定機能部６０，８０を用いた無線通信ネットワークシステム１０を構成する各装置により行われる第１及び第２のエリア品質情報測定処理を含むＳＵＰＬ測位方式による測位処理の全体の流れを示すシーケンス図である。
【図５】エリア品質情報測定機能部６０，８０を用いた無線通信ネットワークシステム１０を構成する各装置により行われる第１のエリア品質情報測定処理を含むＳＵＰＬ測位方式による測位処理の全体の流れを示すシーケンス図である。
【図６】エリア品質情報測定機能部６０，８０を用いた無線通信ネットワークシステム１０を構成する各装置により行われる第１のエリア品質情報測定処理を含むＳＵＰＬ測位方式による測位処理の全体の流れを示すシーケンス図である。
【図７】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図８】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図９】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図１０】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図１１】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図１２】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図１３】エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
【図１４】第１のエリア品質情報測定処理を含むＳＵＰＬ測位方式による測位処理において、測定対象端末判定を行う場合の流れの一部を示すシーケンス図である。
【図１５】第２のエリア品質情報測定処理を含むＳＵＰＬ測位方式による測位処理において、測定対象端末判定を行う場合の流れの一部を示すシーケンス図である。
【図１６】第３のエリア品質情報測定処理を含むＳＵＰＬ測位方式による測位処理において、測定対象端末判定を行う場合の流れの一部を示すシーケンス図である。
【発明を実施するための形態】
【００３１】
以下、添付図面を参照しながら、本発明のエリア品質情報測定装置の好適な実施形態を詳細に説明する。
（第１実施形態）
（無線通信ネットワークシステム１０のシステム構成）
最初に、図１を参照して、本実施形態に係るエリア品質情報測定機能部６０を用いて構成される無線通信ネットワークシステム１０の全体のシステム構成を説明する。
図１は、本実施形態に係るエリア品質情報測定機能部６０を用いて構成される無線通信ネットワークシステム１０のシステム構成を示すシステム構成図である。図１に示す無線通信ネットワークシステム１０は、３Ｇ（３ｒｄ  Ｇｅｎｅｒａｔｉｏｎ）網２０を構成する各装置と、主にＳＵＰＬを用いたＡ−ＧＰＳ測位方式（ＳＵＰＬ測位方式）による測位処理を行う各装置と、ユーザが所持する移動端末機であるＭＴ（Ｍｏｂｉｌｅ  Ｔｅｒｍｉｎａｌ）５０とを備えて構成される。なお、本例では、３Ｇ網において本システムを実現する場合について説明するが、その場合に限定されず、ＬＴＥ（Ｌｏｎｇ  Ｔｅｒｍ  Ｅｖｏｌｕｔｉｏｎ）網など、他の網において本システムを実現できる。
【００３２】
図１において、まず、ＭＴ５０は、例えば、スマートフォン等の移動端末機である。このＭＴ５０が、測位処理における測位対象となる移動端末機である。
また、無線通信ネットワークシステム１０には、３Ｇ網２０を構成するネットワーク装置として、例えば、図１中に破線の枠内に示すＮｏｄｅＢ２１と、ＲＮＣ２２と、ＳＧＳＮ（ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）２３と、ＧＧＳＮ（ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）２４と、ＨＳＳ（Ｈｏｍｅ  Ｓｕｂｓｃｒｉｂｅｒ  Ｓｅｒｖｅｒ）２５とが設けられる。
【００３３】
ＮｏｄｅＢ２１は、ネットワーク無線基地局（ＢＴＳ；Ｂａｓｅ  Ｔｒａｎｓｃｅｉｖｅｒ  Ｓｔａｔｉｏｎ）であり、ＭＴ５０が無線（電波）によって接続される。
ＲＮＣ２２は、実際には、複数のネットワーク無線基地局を統括して制御する基地局無線ネットワーク制御局である。
ＳＧＳＮ２３は、パケット網を構成する交換機であって、ＭＴ５０側に設けられる在圏レベルの交換機の一つである。つまり、これらのＳＧＳＮ２３は、サービスエリアのうちの在圏エリア毎に設けられる。そして、ＳＧＳＮ２３のＭＴ５０側に、ＮｏｄｅＢ２１及びＲＮＣ２２が接続される。
【００３４】
ＧＧＳＮ２４は、パケット網を構成する交換機の一つであって、図示しないが、無線通信ネットワークシステム１０と接続される他のネッワーク側に設けられる関門レベルの交換機である。
ＨＳＳ２５は、ＭＴ５０を識別するための識別情報や、契約（加入者）毎のサービスの契約内容を特定するための加入者情報を管理する。このＨＳＳ２５には、ＭＴ５０が位置登録を要求するための位置登録要求信号を送信した際に、在圏情報が保持される。この在圏情報は、ＭＴ５０が在圏しているエリアを受け持つ交換機等の装置を特定するために用いられる。
【００３５】
さらに、無線通信ネットワークシステム１０には、ＳＵＰＬ測位方式による測位処理を行う装置として、ＳＬＰ（ＳＵＰＬ  Ｌｏｃａｔｉｏｎ  Ｐｌａｔｆｏｒｍ）４１と、ＥＢＳＣＰ（Ｅｘｔｅｒｎａｌ  Ｂｕｓｉｎｅｓｓ  Ｕｓｅｒ  Ｓｅｒｖｉｃｅ  Ｃｏｎｔｒｏｌ  Ｐｏｉｎｔ）４２と、エリア品質情報収集サーバ装置４３とが設けられる。
ＳＬＰ４１は、ユーザ認証を行い、さらにＭＴ５０との間にセキュアな環境を確立する。そして、ＳＬＰ４１は、ＭＴ５０に対して、アシストデータを生成する。
【００３６】
背景技術において説明したように、アシストデータには、ＭＴ５０の概略位置を示す情報である概略位置情報を含まれている。この概略位置情報とは、３Ｇシステム等の標準化団体の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で規定されているＧＰＳアシスタンスデータ要素の中の「Ｒｅｆｅｒｅｎｃｅ  Ｌｏｃａｔｉｏｎ」情報のことである。なお、概略位置情報には、ＭＴ５０の現在の緯度及び経度の座標を示す「緯度経度情報」や、ＭＴ５０の実際の位置から測位演算された位置までの距離の正確度を示す「誤差半径」等の位置情報要素が含まれている。
【００３７】
ＥＢＳＣＰ４２は、ＭＴ５０の位置情報を他の装置に提供する際のゲートウェイ装置の役割を果たす。
エリア品質情報収集サーバ装置４３は、ＳＬＰ４１及びＥＢＳＣＰ４２により収集された、サービスエリア内の各エリアにおける電波の受信状態等の電波品質（ＡＱ）情報を、エリア品質情報として登録しておくデータベース（ＤＢ；Ｄａｔａｂａｓｅ）を有する。このデータベースは、電波品質情報データベース（ＡＱＤＢ）４４として機能する。そして、エリア品質情報収集サーバ装置４３は、図示しないが、測定されたエリア品質情報を基に作成されたエリア品質情報レポートを分析する分析サーバ装置等に対して、電波品質情報データベース４４に蓄積されているエリア品質情報を提供する。
【００３８】
上記で説明したＳＬＰ４１及びＥＢＳＣＰ４２等が、ＳＵＰＬを用いた測位サービスを提供する上で必要な処理を制御したり、実際に測位処理演算を行ったりする測位処理装置である。つまり、ＳＬＰ４１及びＥＢＳＣＰ４２が、ＳＵＰＬを用いた測位サービスを提供するためのプラットフォームとなる。本実施形態の説明においては、移動端末機（ＭＴ５０）と測位処理装置（ＳＬＰ４１及びＥＢＳＣＰ４２等）との間でアシストデータを送信するためのベアラに、Ｕ−Ｐｌａｎｅを用いて測位処理を行う測位方式の一例として、上記のＳＬＰ４１及びＥＢＳＣＰ４２が、ＳＵＰＬ測位方式による測位処理を行う場合の処理例を説明する。
【００３９】
上記のＳＵＰＬとは、ＯＭＡ（Ｏｐｅｎ  Ｍｏｂｉｌｅ  Ａｌｌｉａｎｃｅ）で規定されており、ＭＴ５０とＳＬＰ４１及びＥＢＳＣＰ４２等との間でアシストデータを送信するための通信ベアラにユーザプレーン（Ｕ−Ｐｌａｎｅ；Ｕｓｅｒ−Ｐｌａｎｅ）を利用したＡ−ＧＰＳ測位方式である。
なお、ＭＴ５０側で受信したＧＰＳ信号と、ネットワーク側で演算されたアシスト情報とを組み合わせて測位を行う方式には、ＵＥ−Ｂａｓｅｄ（Ｕｓｅｒ  Ｅｑｕｉｐｍｅｎｔ−Ｂａｓｅｄ）方式とＵＥ−Ａｓｓｉｓｔｅｄ（Ｕｓｅｒ  Ｅｑｕｉｐｍｅｎｔ−Ａｓｓｉｓｔｅｄ）方式との２つの方式がある。ＵＥ−Ｂａｓｅ方式にあっては、ＭＴ５０側で、自装置で測定したＧＰＳメジャメントとネットワーク側から受信したアシスト信号とを用いて位置情報を演算する。一方、ＵＥ−Ａｓｓｉｓｔｅｄ方式にあっては、ＭＴ５０側で測定したＧＰＳメジャメントをネットワークのＳＬＰ４１側に送信し、ＳＬＰ４１側で最終的な位置情報を演算する。
【００４０】
そして、本発明のエリア品質情報測定装置が、一例として、上記のＲＮＣ２２にエリア品質情報測定機能部６０と、ＥＢＳＣＰ４２にエリア品質情報測定機能部８０として設けられる。このエリア品質情報測定機能部６０，８０は、ＳＵＰＬを用いたＡ−ＧＰＳ測位方式による測位処理を行う際に、その測位処理に並行して、サービスエリア内の各エリアにおける電波の受信状態等のエリア品質情報を測定するエリア品質情報測定処理を行うための機能部である。なお、エリア品質情報測定機能部６０，８０の機能構成や、エリア品質情報測定処理を含むＳＵＰＬ測位方式による測位処理の全体の具体的な流れについては、この後詳細に説明する。
【００４１】
（エリア品質情報測定機能部６０の機能構成）
続いて、図２を参照して、本実施形態に係る無線通信ネットワークシステム１０を構成するＲＮＣ２２に設けられたエリア品質情報測定機能部６０の機能構成を説明する。
図２は、ＲＮＣ２２に設けられたエリア品質情報測定機能部６０の機能構成を示すブロック図である。図２に示すエリア品質情報測定機能部６０が設けられるＲＮＣ２２は、エリア品質情報測定機能部６０以外に、制御信号送受信部５１等の一般的な機能部を備えて構成される。なお、ＲＮＣ２２が有する制御信号送受信部５１以外の一般的な機能部については、図示せずに説明を省略する。
【００４２】
制御信号送受信部５１は、無線通信ネットワークシステム１０を構成する各装置との間で、測位処理を行う上で必要な制御信号を送受信する。例えば、制御信号送受信部５１は、無線通信ネットワークシステム１０を構成する各装置を経由してＳＬＰ４１との間で、エリア品質情報測定部６４により測定されたエリア品質情報が付加された基地局測位処理応答信号を送信したり、その応答信号を受信したりする。
【００４３】
また、エリア品質情報測定機能部６０は、基地局測位処理要求信号受信部６１と、緯度経度情報算出部６２と、品質情報測定指示状態判定部６３と、エリア品質情報測定部６４と、アシストデータ受信部６５と、ＧＰＳ測位処理結果受信部６６とを備えて構成される。
基地局測位処理要求信号受信部６１は、ＥＢＳＣＰ４２から送信される基地局（セルベース）測位処理を行うように要求する信号である基地局測位処理要求信号を受信する。
【００４４】
緯度経度情報算出部６２は、基地局測位処理要求信号受信部６１により基地局測位処理要求信号が受信されると、基地局測位処理が行われることにより、測位対象であるＭＴ５０の現在の緯度及び経度を示す緯度経度情報を算出する。この緯度経度情報等の位置情報要素からＭＴ５０の概略位置を示す概略位置情報を算出し、さらにその概略位置情報からアシストデータを算出することができる。
【００４５】
品質情報測定指示状態判定部６３は、上記の基地局測位処理要求信号に対して、エリア品質情報測定指示情報が付加されているか否かを判定する。このエリア品質情報測定指示情報とは、ＭＴ５０が、在圏しているエリアを受け持つＮｏｄｅＢ２１やＲＮＣ２２から送信された電波を受信した時の受信状態を表す情報であるエリア品質情報を測定することを指示するものである。例えば、基地局測位処理要求信号中の品質測定フラグの状態をオン（有効）状態にすることにより、エリア品質情報測定指示情報を付加していることになる。一方、基地局測位処理要求信号中の品質測定フラグの状態をオフ（無効）状態にすることにより、エリア品質情報測定指示情報を付加していないことになる。
【００４６】
エリア品質情報測定部６４は、品質情報測定指示状態判定部６３により、基地局測位処理要求信号に対してエリア品質情報測定指示情報が付加されていると判定された場合に、エリア品質情報を測定する。また、エリア品質情報測定部６４は、品質情報測定指示状態判定部６３により、基地局測位処理要求信号に対してエリア品質情報測定指示情報が付加されていないと判定された場合には、エリア品質情報を測定しない。なお、エリア品質情報測定部６４が、エリア品質情報を測定するタイミングについては、この後詳細に説明する。
アシストデータ受信部６５は、ＳＬＰ４１から送信されたアシストデータを受信する。このアシストデータは、上記で説明したように、ＭＴ５０の概略位置を示す概略位置情報を含むものである。
ＧＰＳ測位処理結果受信部６６は、ＭＴ５０から送信されたＧＰＳ測位処理の処理結果（ＧＰＳ測位処理結果）を受信する。
【００４７】
（エリア品質情報測定機能部８０の機能構成）
続いて、図３を参照して、本実施形態に係る無線通信ネットワークシステム１０を構成するＥＢＳＣＰ４２に設けられたエリア品質情報測定機能部８０の機能構成を説明する。
図３は、ＥＢＳＣＰ４２に設けられたエリア品質情報測定機能部８０の機能構成を示すブロック図である。図３に示すエリア品質情報測定機能部８０が設けられるＥＢＳＣＰ４２は、エリア品質情報測定機能部８０以外に、制御信号送受信部７１等の一般的な機能部を備えて構成される。なお、ＥＢＳＣＰ４２が有する制御信号送受信部７１以外の一般的な機能部については、図示せずに説明を省略する。
【００４８】
制御信号送受信部７１は、制御信号送受信部５１と同様に、無線通信ネットワークシステム１０を構成する各装置との間で、測位処理を行う上で必要な制御信号を送受信する。例えば、制御信号送受信部７１は、無線通信ネットワークシステム１０を構成する各装置を経由してＲＮＣ２２との間で、エリア品質情報測定指示付加部８２によりエリア品質情報測定指示情報が付加された基地局測位処理要求信号を送信したり、その応答信号を受信したりする。
【００４９】
また、エリア品質情報測定機能部８０は、契約情報取得部８１と、エリア品質情報測定指示付加部８２とを備えて構成される。
契約情報取得部８１は、ＨＳＳ２５から、ＭＴ５０を所持する加入者を一意に特定する加入者情報に対応付けて、各種のネットワークサービス等のサービス利用契約有無を示す契約情報を管理している。その契約情報の一つとして、ＳＵＰＬ測位方式による測位処理のサービス利用契約有無を示す契約情報を管理している。
エリア品質情報測定指示付加部８２は、契約情報取得部８１により取得された契約情報に基づいて、ＳＵＰＬ測位方式による測位処理のサービス利用契約が有ると判定した場合に、サービス利用契約が有るＭＴ５０に送信される基地局測位処理要求信号に対してエリア品質情報測定指示情報を付加する。
【００５０】
（第１のエリア品質情報測定処理を含むＳＵＰＬ測位方式による測位処理の全体の流れ）
続いて、図４〜図６を参照して、エリア品質情報測定機能部６０，８０を用いた無線通信ネットワークシステム１０を構成する各装置により行われる第１のエリア品質情報測定処理の流れを、ＳＵＰＬ測位方式による測位処理の全体の流れに合わせて説明する。
図４〜図６は、エリア品質情報測定機能部６０，８０を用いた無線通信ネットワークシステム１０を構成する各装置により行われる第１のエリア品質情報測定処理を含むＳＵＰＬ測位方式による測位処理の全体の流れを示すシーケンス図である。なお、この第１実施形態で説明するエリア品質情報測定処理を、第１のエリア品質情報測定処理として説明する。
【００５１】
まず、ＭＴ５０において、ユーザが現在位置を確認する操作等が行われると、ＳＵＰＬ測位方式を用いた測位処理が開始される。すると、図４に示すように、ＭＴ５０は、無線通信ネットワークシステム１０を構成する各装置を経由してＳＬＰ４１に対して、測位開始要求を送信する。ＭＴ５０は、この測位開始要求を送信することにより、ＳＬＰ４１に対して、ＭＴ５０の概略位置を示す情報である概略位置情報を含むアシストデータを送信するように要求（リクエスト）する（ステップＳ１０１）。
【００５２】
すると、ＳＬＰ４１は、ＥＢＳＣＰ４２に対して、ＭＴ５０を所持するユーザの認証処理を行うように要求する（ステップＳ１０２）。さらに、ＥＢＳＣＰ４２において、契約情報取得部８１が、ＨＳＳ２５との間で、ＭＴ５０を識別するための識別情報や、契約（加入者）毎のサービスの契約内容を特定するために必要な加入者情報を取得する（ステップＳ１０３）。
【００５３】
ここで、ＥＢＳＣＰ４２において、エリア品質情報測定指示付加部８２は、契約情報取得部８１により取得された契約情報に基づいて、ＭＴ５０を所持するユーザが、ＳＵＰＬ測位方式による測位処理のサービス利用契約が有るか否かを判定する。そして、エリア品質情報測定指示付加部８２は、そのサービス利用契約の有無に基づいて、基地局測位処理要求信号中の品質測定フラグをオン（有効）又はオフ（無効）状態のいずれか一方に設定する（ステップＳ１０４）。ここでは、ＳＵＰＬ概位置導出起因の基地局測位処理を行う場合に、品質測定フラグをオン（有効）状態に設定する。一方、緊急通報に基づいて位置測位を行う場合など測位時間を重視する場合には、品質測定フラグをオフ（無効）状態に設定する。
【００５４】
例えば、エリア品質情報測定指示付加部８２が、ＳＵＰＬ測位方式による測位処理のサービス利用契約が有るユーザが所持するＭＴ５０に送信される基地局測位処理要求信号に対して、エリア品質情報測定指示情報を付加する。エリア品質情報測定指示情報を付加する場合には、上記で説明したように、エリア品質情報測定指示付加部８２が、基地局測位処理要求信号中の品質測定フラグをオン（有効）状態にすれば良い。一方、エリア品質情報測定指示付加部８２が、サービス利用契約が無いユーザが所持するＭＴ５０に送信される基地局測位処理要求信号に対して、エリア品質情報測定指示情報を付加しない場合には、上記で説明したように、エリア品質情報測定指示付加部８２が、基地局測位処理要求信号中の品質測定フラグをオフ（無効）状態にすれば良い。
【００５５】
ＥＢＳＣＰ４２において、制御信号送受信部７１が、ＧＧＳＮ２４及びＳＧＳＮ２３の各装置を経由してＲＮＣ２２に対して、品質測定フラグが付加された基地局測位処理要求信号を送信する（ステップＳ１０５〜Ｓ１０７）。そして、ＲＮＣ２２において、基地局測位処理要求信号受信部６１が基地局測位処理要求信号を受信する。すると、緯度経度情報算出部６２が基地局測位処理を行うことにより、緯度経度情報算出部６２は測位対象であるＭＴ５０の現在位置の緯度経度を示す緯度経度情報すなわち概略位置及びその誤差を示す誤差情報を算出する（ステップＳ１０８）。
【００５６】
ここで、図５に示すように、ＲＮＣ２２からＭＴ５０までの各装置が、図５中に破線内に示すステップＳ２０１〜Ｓ２０３のエリア品質情報測定処理を行う。このエリア品質情報測定処理は、品質測定フラグがオン（有効）状態である場合にのみ行い、オフ（無効）状態である場合には行わない。
まず、ＲＮＣ２２において、ＥＢＳＣＰ４２から送信された基地局測位処理要求信号に付加されている品質測定フラグがオン（有効）状態であるか、オフ（無効）状態であるかを判定する（ステップＳ２０１）。そして、品質情報測定指示状態判定部６３が、基地局測位処理要求信号中の品質測定フラグがオン（有効）状態であると判定すると（ステップＳ２０１のＹＥＳ）、制御信号送受信部５１が、ＮｏｄｅＢ２１を経由してＭＴ５０に対して、エリア品質情報を測定するための制御信号を送信する（ステップＳ２０２）。そして、ＲＮＣ２２において、制御信号送受信部５１が、ＭＴ５０からＮｏｄｅＢ２１を経由して送信された、エリア品質情報を含む制御信号を受信する（ステップＳ２０３）。
【００５７】
続いて、ＲＮＣ２２において、エリア品質情報測定部６４が、緯度経度情報を応答する応答信号に対して、測定されたエリア品質情報を緯度経度情報と併せて付加するように、制御信号送受信部５１に指示する。すると、ＲＮＣ２２において、制御信号送受信部５１が、ＳＧＳＮ２３及びＧＧＳＮ２４の各装置を経由してＥＢＳＣＰ４２に対して、緯度経度情報とエリア品質情報と誤差情報とが付加された応答信号を送信する（ステップＳ２０４〜Ｓ２０６）。このように、緯度経度情報とエリア品質情報とを同時に送信することにより、緯度経度情報とエリア品質情報とを別々に送信するよりも応答信号数を少なくすることができる。よって、応答信号を送受信することによる無線通信ネットワークシステムを構成する各装置の処理負荷を増やさないようにすることができる。
【００５８】
なお、ＲＮＣ２２において、品質情報測定指示状態判定部６３が、基地局測位処理要求信号中の品質測定フラグがオフ（無効）状態であると判定すると（ステップＳ２０１のＮＯ）、制御信号送受信部５１が、ＮｏｄｅＢ２１を経由してＭＴ５０に対して、エリア品質情報を測定するための制御信号を送信しない。このため、ＲＮＣ２２において、制御信号送受信部５１が、ＳＧＳＮ２３及びＧＧＳＮ２４の各装置を経由してＥＢＳＣＰ４２に対して、緯度経度情報と、空データ等であるエリア品質情報と誤差情報とが付加された応答信号を送信する（ステップＳ２０４〜Ｓ２０６）。この応答信号に付加されているエリア品質情報は空データ等であるため、応答信号には、実質的に、緯度経度情報と誤差情報とが付加されていることになる。
【００５９】
そして、ＥＢＳＣＰ４２は、エリア品質情報と緯度経度情報と誤差情報とが付加されている応答信号に対して、さらに認証処理結果を付加する。この認証処理結果は、図４に示したステップ１０２において認証処理要求により行われた認証処理の処理結果である。そして、ＥＢＳＣＰ４２は、緯度経度情報、エリア品質情報、誤差情報及び認証処理結果が付加された応答信号を送信する（ステップＳ２０７）。
【００６０】
続いて、図６に示すように、ＳＬＰ４１は、図５のステップＳ１０１の測位開始要求に対する応答として、無線通信ネットワークシステム１０を構成する各装置を経由してＭＴ５０に対して、アシストデータを送信する（ステップＳ３０１）。ＳＬＰ４１が、このアシストデータを送信することにより、ＳＬＰ４１は、ＭＴ５０に対して、ＲＮＣ２２から受信された緯度経度情報に基づいて算出された概略位置情報、誤差情報及び衛星情報を含むアシストデータを送信することができる。
【００６１】
すると、ＭＴ５０は、アシストデータに基づいてＧＰＳ測位処理を行う（ステップＳ３０２）。そして、ＭＴ５０は、ＳＬＰ４１に対して、測位結果を送信する（ステップＳ３０３）。ＭＴ５０は、この測位結果を送信することにより、ＧＰＳ測位処理の成否を示すＧＰＳ測位処理結果と、ＧＰＳ測位方式による得られたＭＴ５０の緯度経度情報と、誤差情報とを送信する。
【００６２】
最後の処理として、ＳＬＰ４１は、エリア品質情報収集サーバ装置４３に対して、エリア品質情報収集サーバ装置４３の電波品質情報データベース４４に、エリア品質情報測定部６４により測定されたエリア品質情報を登録するように要求する（ステップＳ３０４）。なお、ＳＬＰ４１は、エリア品質情報収集サーバ装置４３に対して、エリア品質情報を登録するための要求を送信する際に、ＧＰＳ測位方式による得られた緯度経度情報に対応付けて、エリア品質情報を登録するための要求を送信する。これにより、エリア品質情報収集サーバ装置４３は、サービスエリア内の品質情報をエリア毎に管理することができる。
【００６３】
（第１実施形態におけるエリア品質情報測定処理の説明のまとめ）
上記で説明したように、エリア品質情報測定部６４は、品質情報測定指示状態判定部６３により、基地局測位処理要求信号に対してエリア品質情報測定指示情報が付加されていると判定された場合に、エリア品質情報を測定する。一方、エリア品質情報測定部６４は、品質情報測定指示状態判定部６３により、基地局測位処理要求信号に対してエリア品質情報測定指示情報が付加されていないと判定された場合には、エリア品質情報を測定しない。
【００６４】
つまり、エリア品質情報測定部が、移動端末機と測位処理装置との間でアシストデータを送信するために、Ｕ−Ｐｌａｎｅを用いて測位処理を行うＡ−ＧＰＳ測位方式による測位処理に伴う基地局測位処理を行う際には、そのＡ−ＧＰＳ測位方式による測位処理に並行してエリア品質情報を測定する。しかしながら、上記の測位方式による測位処理に伴う基地局測位処理を行う際には、エリア品質情報を測定しない。
【００６５】
さらに、エリア品質情報測定部６４は、ＳＵＰＬ測位方式による測位処理過程のうちの概略位置情報の算出処理過程において、ＲＮＣ２２がＭＴ５０の緯度経度情報を算出してから、ＲＮＣ２２が測位処理装置に対してその緯度経度情報を応答する応答信号を送信するまでの間に、エリア品質情報を測定する。
上記で説明したように、エリア品質情報測定部６４は、全ての基地局測位処理が行われる度に、エリア品質情報を測定するわけではない。そして、エリア品質情報測定部６４は、ＳＵＰＬ測位方式による測位処理に伴う基地局測位処理を行う際に、その基地局測位処理に並行してエリア品質情報を測定することができる。
【００６６】
なお、概略位置情報を算出するために要する時間が、エリア品質情報測定処理を行う分だけ長くなる。但し、警察や消防、救急等への緊急通報の際に、通報を受ける指令センタに対して通報者の位置情報を提供する場合には、エリア品質情報測定指示付加部８２は、基地局測位処理要求信号に対してエリア品質情報測定指示情報を付加しないようにすることもできる。このように、必要に応じてエリア品質情報を測定することよりも、測位処理時間を優先することもできる。
【００６７】
（第２実施形態）
なお、エリア品質情報測定機能部６０，８０を構成する各機能部については実質同じであるが、図４〜図６で説明したエリア品質情報測定機能部６０におけるエリア品質情報測定部６４がエリア品質情報を測定するタイミングを変更することもできる。
【００６８】
（第２のエリア品質情報測定処理を含むＳＵＰＬ測位方式による測位処理の全体の流れ）
そこで、図７〜図９を参照して、エリア品質情報測定機能部６０，８０を用いた無線通信ネットワークシステム１０を構成する各装置により行われる第２のエリア品質情報測定処理の流れを、ＳＵＰＬ測位方式による測位処理の全体の流れに合わせて説明する。なお、この第２実施形態で説明するエリア品質情報測定処理を、第２のエリア品質情報測定処理として説明する。
【００６９】
図７〜図９は、エリア品質情報測定機能部６０，８０を用いた無線通信ネットワークシステム１０を構成する各装置により行われる第２のエリア品質情報測定処理を含むＳＵＰＬ測位方式による測位処理の全体の流れを示すシーケンス図である。
まず、無線通信ネットワークシステム１０を構成する各装置において、図４に示したステップＳ１０１〜Ｓ１０８の各処理を同様に行う。しかしながら、この後、図５に示したステップＳ２０１〜Ｓ２０３のエリア品質情報を測定する処理を行わない。このため、図７に示すように、ＲＮＣ２２において、制御信号送受信部５１が、ＳＧＳＮ２３及びＧＧＳＮ２４の各装置を経由して、ＥＢＳＣＰ４２に対して、緯度経度情報及び誤差情報が付加されている１段階目の位置測位応答信号を送信する（ステップＳ４０１〜４０３）。
【００７０】
また、ＥＢＳＣＰ４２は、緯度経度情報及び誤差情報が付加されている１段階目の位置測位応答信号に対して、図４に示したステップ１０２の認証処理要求により行われた認証処理結果を付加する。そして、ＥＢＳＣＰ４２は、ＳＬＰ４１に対して、認証処理結果並びに緯度経度情報及び誤差情報が付加された、１段階目の位置測位応答信号を送信する（ステップＳ４０４）。
【００７１】
続いて、図８に示すように、ＳＬＰ４１は、図５に示したステップＳ１０１のアシストデータの送信要求に対する応答として、無線通信ネットワークシステム１０を構成する各装置を経由してＭＴ５０に対して、アシストデータを送信する（ステップＳ３０１）。このアシストデータには、衛星情報、緯度経度情報が含まれている。
ここで、ＲＮＣ２２からＭＴ５０までの各装置が、図８中に破線内に示すステップＳ５０１〜Ｓ５０７のエリア品質情報測定処理を行う。
【００７２】
まず、ＲＮＣ２２において、ＥＢＳＣＰ４２から送信された基地局測位処理要求信号に付加されている品質測定フラグがオン（有効）状態であるか、オフ（無効）状態であるかを判定する（ステップＳ５０１）。そして、品質情報測定指示状態判定部６３が、基地局測位処理要求信号中の品質測定フラグがオン（有効）状態であると判定すると（ステップＳ５０１のＹＥＳ）、制御信号送受信部５１が、ＮｏｄｅＢ２１を経由してＭＴ５０に対して、エリア品質情報を測定するための品質測定要求信号を送信する（ステップＳ５０２）。そして、ＲＮＣ２２において、制御信号送受信部５１が、ＭＴ５０からＮｏｄｅＢ２１を経由して送信された、エリア品質情報を含む品質測定応答信号を受信する（ステップＳ５０３）。
【００７３】
続いて、ＲＮＣ２２において、エリア品質情報測定部６４が、緯度経度情報を応答する応答信号に対して、測定されたエリア品質情報を付加するように、制御信号送受信部５１に対して指示する。すると、ＲＮＣ２２において、制御信号送受信部５１が、ＳＧＳＮ２３及びＧＧＳＮ２４の各装置を経由してＥＢＳＣＰ４２に対して、エリア品質情報が付加された、２段階目の位置測位応答信号を送信する（ステップＳ５０４〜Ｓ５０６）。
【００７４】
なお、ＲＮＣ２２において、品質情報測定指示状態判定部６３が、基地局測位処理要求信号中の品質測定フラグがオフ（無効）状態であると判定すると（ステップＳ５０１のＮＯ）、制御信号送受信部５１が、ＮｏｄｅＢ２１を経由してＭＴ５０に対して、エリア品質情報を測定するための品質測定要求信号を送信しない。このため、ＲＮＣ２２において、制御信号送受信部５１が、ＳＧＳＮ２３及びＧＧＳＮ２４の各装置を経由してＥＢＳＣＰ４２に対して、空データ等であるエリア品質情報が付加された、２段階目の位置測位応答信号を送信する（ステップＳ５０４〜Ｓ５０６）。
そして、ＥＢＳＣＰ４２は、ＳＬＰ４１に対して、エリア品質情報のみが付加されている２段階目の位置測位応答信号を送信する（ステップＳ５０７）。
【００７５】
続いて、図９に示すように、ＭＴ５０は、アシストデータに基づいてＧＰＳ測位処理を行う（ステップＳ３０２）。そして、ＭＴ５０は、ＳＬＰ４１に対して、測位結果及び誤差情報を送信する（ステップＳ３０３）。ＭＴ５０は、この測位結果を送信することにより、ＧＰＳ測位処理の成否を示すＧＰＳ測位処理結果と、ＧＰＳ測位方式によって得られたＭＴ５０の緯度経度情報と、誤差情報とを送信する。
最後の処理として、ＳＬＰ４１は、エリア品質情報収集サーバ装置４３に対して、エリア品質情報収集サーバ装置４３の電波品質情報データベース４４に、エリア品質情報測定部６４により測定されたエリア品質情報を登録するように要求する（ステップＳ３０４）。これにより、エリア品質情報収集サーバ装置４３は、サービスエリア内の品質情報をエリア毎に管理することができる。
【００７６】
（第２実施形態におけるエリア品質情報測定処理の説明のまとめ）
上記で説明した第１実施形態と同様に、エリア品質情報測定部６４は、全ての基地局測位処理が行われる度に、エリア品質情報を測定するわけではない。そして、エリア品質情報測定部６４は、ＳＵＰＬ測位方式による測位処理に伴う基地局測位処理を行う際に、その基地局測位処理後に行われるＧＰＳ測位処理に並行してエリア品質情報を測定することができる。
但し、エリア品質情報測定部６４は、ＳＵＰＬ測位方式による測位処理過程のうちのＧＰＳ測位処理過程において、ＲＮＣ２２が測位処理装置から送信されたアシストデータを受信してから、ＲＮＣ２２がＭＴ５０から送信されたＧＰＳ測位処理結果を応答する応答信号を受信するまでの間に、エリア品質情報を測定する。
【００７７】
このため、エリア品質情報測定部６４は、緯度経度情報を応答する応答信号が送信された後に送信されるその応答信号とは別の応答信号に対して、エリア品質情報測定部により測定されたエリア品質情報を付加する。つまり、基地局測位方式により測位処理を行ったことにより得られた緯度経度情報と、エリア品質情報測定部６４により測定されたエリア品質情報とを、ＲＮＣ２２からＳＬＰ４１に対して２回に分けて送信する。よって、ＳＵＰＬ測位方式による測位処理過程において処理に必要な制御信号の数が多くなる。
【００７８】
しかしながら、ＳＵＰＬ測位方式による測位処理過程のうちのＳＬＰ４１から送信されたアシストデータに基づいて行うＧＰＳ測位処理過程において、ＲＮＣ２２がＳＬＰ４１から送信されたアシストデータを受信してから、そのＲＮＣ２２がＭＴ５０から送信されたＧＰＳ測位処理結果を応答する応答信号を受信するまでの処理時間に収まるように、その測位処理に並行してエリア品質情報を測定することができる。
【００７９】
（第３実施形態）
ところで、ＧＰＳ測位が成功した場合に、エリア品質情報を測定するようにしてもよい。また、屋内エリアでは、十分小さなエリア設計がなされていることが多いので、概略位置情報を算出するために基地局測位処理にて算出された概略位置の誤差情報（例えば、誤差半径）が十分小さい場合に、エリア品質情報を測定するようにしてもよい。このように、ＧＰＳ測位が成功した場合又は概略位置の誤差情報が十分小さい場合に限り、エリア品質情報を測定することにより、測定したエリア品質情報を有効に活用することができる。誤差情報が十分小さい場合とは、例えば、予め定められた閾値と比較することによって判定することができる。なお、これらの場合には、第１実施形態及び第２実施形態において用いる品質測定フラグを用いる必要はない。
【００８０】
（第３のエリア品質情報測定処理を含むＳＵＰＬ測位方式による測位処理の全体の流れ）
図１０〜図１４を参照して、エリア品質情報測定機能部６０，８０を用いた無線通信ネットワークシステム１０を構成する各装置により行われる第３のエリア品質情報測定処理の流れを、ＳＵＰＬ測位方式による測位処理の全体の流れに合わせて説明する。なお、この第３実施形態で説明するエリア品質情報測定処理を、第３のエリア品質情報測定処理として説明する。
【００８１】
まず、ＭＴ５０において、ユーザが現在位置を確認する操作等が行われると、ＳＵＰＬ測位方式を用いた測位処理が開始される。すると、図１０に示すように、ＭＴ５０は、無線通信ネットワークシステム１０を構成する各装置を経由してＳＬＰ４１に対して、測位開始要求を送信する。ＭＴ５０は、この測位開始要求を送信することにより、ＳＬＰ４１に対して、ＭＴ５０の概略位置を示す情報である概略位置情報を含むアシストデータを送信するように要求（リクエスト）する（ステップＳ１００１）。
【００８２】
すると、ＳＬＰ４１は、ＥＢＳＣＰ４２に対して、ＭＴ５０を所持するユーザの認証処理を行うように要求する（ステップＳ１００２）。さらに、ＥＢＳＣＰ４２において、契約情報取得部８１が、ＨＳＳ２５との間で、ＭＴ５０を識別するための識別情報や、契約（加入者）毎のサービスの契約内容を特定するために必要な加入者情報を取得する（ステップＳ１００３）。
【００８３】
ここで、ＥＢＳＣＰ４２において、エリア品質情報測定指示付加部８２は、契約情報取得部８１により取得された契約情報に基づいて、ＭＴ５０を所持するユーザが、ＳＵＰＬ測位方式による測位処理のサービス利用契約が有るか否かを判定する。そして、エリア品質情報測定指示付加部８２は、そのサービス利用契約が有る場合、基地局測位処理要求信号を送信する。
【００８４】
この場合、ＥＢＳＣＰ４２において、制御信号送受信部７１が、ＧＧＳＮ２４及びＳＧＳＮ２３の各装置を経由してＲＮＣ２２に対して、基地局測位処理要求信号を送信する（ステップＳ１００４〜Ｓ１００６）。そして、ＲＮＣ２２において、基地局測位処理要求信号受信部６１が基地局測位処理要求信号を受信する。すると、緯度経度情報算出部６２が基地局測位処理を行うことにより、緯度経度情報算出部６２は測位対象であるＭＴ５０の現在の緯度経度を示す緯度経度情報を算出する（ステップＳ１００７）。また、算出された緯度経度情報すなわち概略位置についての誤差情報を算出する（ステップＳ１００７）。
【００８５】
すると、ＲＮＣ２２において、制御信号送受信部５１が、ＳＧＳＮ２３及びＧＧＳＮ２４の各装置を経由してＥＢＳＣＰ４２に対して、緯度経度情報及び誤差情報が付加された応答信号を送信する（ステップＳ１００８〜Ｓ１０１０）。
そして、ＥＢＳＣＰ４２は、緯度経度情報及び誤差情報が付加されている応答信号に対して、さらに認証処理結果を付加する。この認証処理結果は、図１０に示したステップ１００２において認証処理要求により行われた認証処理の処理結果である。そして、ＥＢＳＣＰ４２は、緯度経度情報及び誤差情報並びに認証処理結果が付加された応答信号を送信する（ステップＳ１０１１）。
【００８６】
続いて、図１１に示すように、ＳＬＰ４１は、図１０のステップＳ１００１の測位開始要求に対する応答として、無線通信ネットワークシステム１０を構成する各装置を経由してＭＴ５０に対して、アシストデータを送信する（ステップＳ１０１２）。ＳＬＰ４１が、このアシストデータを送信することにより、ＳＬＰ４１は、ＭＴ５０に対して、ＲＮＣ２２から受信された緯度経度情報に基づいて算出された概略位置情報及び誤差情報並びに衛星情報を含むアシストデータを送信することができる。
【００８７】
すると、ＭＴ５０は、アシストデータに基づいてＧＰＳ測位処理を行う（ステップＳ１０１３）。そして、ＭＴ５０は、ＳＬＰ４１に対して、測位結果を送信する（ステップＳ１０１４）。ＭＴ５０は、この測位結果を送信することにより、ＧＰＳ測位処理の成否を示すＧＰＳ測位処理結果と、ＧＰＳ測位方式による得られたＭＴ５０の緯度経度情報及び誤差情報とを送信する。
【００８８】
ここで、ＳＬＰ４１は、受信したＧＰＳ測位処理結果に基づき、ＧＰＳ測位処理の成否、及び、誤差情報が十分に小さいかを判定する（ステップＳ１０１５）。ＳＬＰ４１は、ＭＴ５０においてＧＰＳ測位処理が成功しなかったと判定した場合、又は、誤差情報が十分に小さくない場合（ステップＳ１０１５のＮＯ）、処理を終了し、以降の処理を行わない。
一方、ＳＬＰ４１は、ＭＴ５０においてＧＰＳ測位処理が成功したと判定した場合、又は、誤差情報が十分に小さい場合（ステップＳ１０１５のＹＥＳ）、以降の処理を継続する。
【００８９】
以降の処理を継続する場合、ＳＬＰ４１は、ＥＢＳＣＰ４２に対して、品質測定要求信号を送信する（ステップＳ１０１６）。すると、ＥＢＳＣＰ４２において、エリア品質情報測定指示付加部８２は、契約情報取得部８１により取得された契約情報に基づいて、ＭＴ５０を所持するユーザが、ＳＵＰＬ測位方式による測位処理のサービス利用契約が有るか否かを判定する。そして、エリア品質情報測定指示付加部８２は、そのサービス利用契約が有る場合、品質測定要求信号を送信する。
【００９０】
この場合、ＥＢＳＣＰ４２において、制御信号送受信部７１が、ＧＧＳＮ２４及びＳＧＳＮ２３の各装置を経由してＲＮＣ２２に対して、品質測定要求信号を送信する（ステップＳ１０１７〜Ｓ１０１９）。そして、ＲＮＣ２２において、エリア品質情報測定部６４が品質測定要求信号を受信する。すると、図１３に示すように、ＲＮＣ２２からＭＴ５０までの各装置が、図１３中に破線内に示すステップＳ１０２１〜Ｓ１０２２のエリア品質情報測定処理を行う。すなわち、エリア品質情報測定部６４は、品質測定要求信号をＭＴ５０へ送信し（ステップＳ１０２１）、ＭＴ５０から品質測定応答信号を受信する（ステップＳ１０２２）。
【００９１】
すると、ＲＮＣ２２において、制御信号送受信部５１が、ＳＧＳＮ２３及びＧＧＳＮ２４の各装置を経由してＥＢＳＣＰ４２に対して、品質情報が付加された品質情報応答信号を送信する（ステップＳ１０２３〜Ｓ１０２５）。
そして、ＥＢＳＣＰ４２は、品質情報が付加された品質情報応答信号に対して、さらに認証処理結果を付加する。この認証処理結果は、図１２に示したステップ１０１６において認証処理要求により行われた認証処理の処理結果である。そして、ＥＢＳＣＰ４２は、品質情報及び認証処理結果が付加された応答信号を送信する（ステップＳ１０２７）。
【００９２】
最後の処理として、ＳＬＰ４１は、エリア品質情報収集サーバ装置４３に対して、エリア品質情報収集サーバ装置４３の電波品質情報データベース４４に、エリア品質情報測定部６４により測定されたエリア品質情報を登録するように要求する（ステップＳ１０２８）。これにより、エリア品質情報収集サーバ装置４３は、サービスエリア内の品質情報をエリア毎に管理することができる。
【００９３】
（第３実施形態におけるエリア品質情報測定処理の説明のまとめ）
以上のように、ＧＰＳ測位処理が成功した場合に限り、品質測定処理を行うことにより、システム全体の負荷を軽減できる。具体的には、ＧＰＳ測位に成功した場合にのみ品質情報は意味をなすため、不要な品質測定を行うことを防止することにより、システム全体の負荷を軽減できる。
つまり、本実施形態によれば、ＧＰＳ測位処理による測位が成功した場合に限り、エリア品質情報測定部がエリア品質情報を測定するため、測定したエリア品質情報を有効に活用することができる。
【００９４】
（測定対象端末判定）
ところで、上記の各実施形態では、品質測定フラグの状態がオン（有効）状態であれば品質情報測定処理を行っている。しかしながら、品質測定フラグが設定されていても、端末側が品質を測定する機能を具備していない場合や、端末によっては品質情報測定処理とＧＰＳ測位処理とが競合動作した際に不都合が生じる場合がある。このような場合を考慮して、品質測定処理を行う前に、測定対象端末であるかどうかの判定を行うようにしてもよい。
【００９５】
例えば、第１実施形態の説明において参照した図５に対応する図１４を参照すると、ＲＮＣ２２において、ＥＢＳＣＰ４２から送信された基地局測位処理要求信号に付加されている品質測定フラグがオン（有効）状態であるか、オフ（無効）状態であるかを判定した結果、品質測定フラグがオン（有効）状態である場合に（ステップＳ２０１のＹＥＳ）、さらに測定対象端末であるか判定する（ステップＳ２０１ａ）。測定対象端末である場合には、制御信号送受信部５１が、ＮｏｄｅＢ２１を経由してＭＴ５０に対して、エリア品質情報を測定するための制御信号を送信する（ステップＳ２０２）。そして、ＲＮＣ２２において、制御信号送受信部５１が、ＭＴ５０からＮｏｄｅＢ２１を経由して送信された、エリア品質情報を含む制御信号を受信する（ステップＳ２０３）。なお、ＲＮＣ２２において、測定対象端末ではないと判定すると（ステップＳ２０１ａのＮＯ）、制御信号送受信部５１は、エリア品質情報を測定するための品質測定要求信号を送信しない。ステップＳ２０４以降は、図５を参照して説明した処理と同様であるため、ここでの説明は省略する。
【００９６】
また、第２実施形態の説明において参照した図８に対応する図１５を参照すると、ＲＮＣ２２において、ＥＢＳＣＰ４２から送信された基地局測位処理要求信号に付加されている品質測定フラグがオン（有効）状態であるか、オフ（無効）状態であるかを判定した結果、品質測定フラグがオン（有効）状態である場合に（ステップＳ５０１のＹＥＳ）、さらに測定対象端末であるか判定する（ステップＳ５０１ａ）。測定対象端末である場合には、制御信号送受信部５１が、ＮｏｄｅＢ２１を経由してＭＴ５０に対して、エリア品質情報を測定するための制御信号を送信する（ステップＳ５０２）。そして、ＲＮＣ２２において、制御信号送受信部５１が、ＭＴ５０からＮｏｄｅＢ２１を経由して送信された、エリア品質情報を含む制御信号を受信する（ステップＳ５０３）。なお、ＲＮＣ２２において、測定対象端末ではないと判定すると（ステップＳ５０１ａのＮＯ）、制御信号送受信部５１は、エリア品質情報を測定するための品質測定要求信号を送信しない。ステップＳ５０４以降は、図８を参照して説明した処理と同様であるため、ここでの説明は省略する。
【００９７】
さらに、第３実施形態の説明において参照した図１３に対応する図１６を参照すると、ＲＮＣ２２において、測定対象端末であるか判定する（ステップＳ１０２４ａ）。測定対象端末である場合には、制御信号送受信部５１が、ＮｏｄｅＢ２１を経由してＭＴ５０に対して、エリア品質情報を測定するための制御信号を送信する（ステップＳ１０２５）。そして、ＲＮＣ２２において、制御信号送受信部５１が、ＭＴ５０からＮｏｄｅＢ２１を経由して送信された、エリア品質情報を含む制御信号を受信する（ステップＳ１０２６）。なお、ＲＮＣ２２において、測定対象端末ではないと判定すると（ステップＳ１０２４ａのＮＯ）、制御信号送受信部５１は、エリア品質情報を測定するための品質測定要求信号を送信しない。ステップＳ１０２７以降は、図１３を参照して説明した処理と同様であるため、ここでの説明は省略する。
以上のように、測定対象端末である場合に限り、品質測定処理を行うことにより、品質を測定する機能を具備していない端末や不都合が生じる可能性がある端末に対して品質測定要求を送信することはなく、ネットワークリソースを有効に活用することができる。
【００９８】
（本発明の範囲）
なお、本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【００９９】
一例として、本実施形態で説明したエリア品質情報測定装置においては、無線通信ネットワークシステム１０が３Ｇ網２０であったが、これに限定されない。無線通信ネットワークシステム１０は、例えば３Ｇ網２０とＬＴＥ（Ｌｏｎｇ  Ｔｅｒｍ  Ｅｖｏｌｕｔｉｏｎ）網とが存在する無線通信ネットワークシステムであっても良い。無線通信ネットワークシステムを構成する装置が変わったとしても、上記で説明したエリア品質情報測定装置の各処理の流れは実質同じである。
【０１００】
また、本実施形態で説明したエリア品質情報測定装置においては、エリア品質情報測定装置として機能部であるエリア品質情報測定機能部６０が、ＲＮＣ２２に設けられていた。また、エリア品質情報測定機能部８０が、ＥＢＳＣＰ４２に設けられていた。これに限定されず、エリア品質情報測定機能部６０，８０が、ＲＮＣ２２やＥＢＳＣＰ４２以外の無線通信ネットワークシステム１０を構成する装置に設けられていても良い。また、エリア品質情報測定機能部６０，８０が有する機能部を、無線通信ネットワークシステム１０を構成する単一の装置に設けることもできる。このように、無線通信ネットワークシステム１０にエリア品質情報測定機能部６０，８０を用いる際の機能構成や装置構成は、無線通信ネットワークの形態等に合わせて任意に変更することができる。
【０１０１】
また、エリア品質情報測定部６４は、上記の各実施形態で説明したタイミングでエリア品質情報を測定する以外にも、基地局測位処理やＧＰＳ測位処理の過程における任意のタイミングでエリア品質情報を測定することができる。
なお、以上は、Ａ−ＧＰＳ測位方式を用いる場合について説明したが、Ａ−ＧＰＳは単なる一例であり、Ａ−ＧＬＯＮＡＳＳ（Ａｓｓｉｓｔｅｄ−ＧＬｏｂａｌ  ＮＡｖｉｇａｔｉｏｎ  Ｓａｔｅｌｌｉｔｅ  Ｓｙｓｔｅｍ）などのＡ−ＧＮＳＳ（Ａｓｓｉｓｔｅｄ−Ｇｌｏｂａｌ  Ｎａｖｉｇａｔｉｏｎ  Ｓａｔｅｌｌｉｔｅ  Ｓｙｓｔｅｍｓ）測位の場合にも本発明を適用することができる。
【産業上の利用可能性】
【０１０２】
本発明のエリア品質情報測定装置は、例えば、ＳＵＰＬを用いたＡ−ＧＰＳ測位方式による測位処理を行う際に、その測位処理に並行してエリア品質情報測定処理を行うエリア品質情報測定機能部として利用することができる。
【符号の説明】
【０１０３】
１０……無線通信ネットワークシステム
２０……３Ｇ網
２１……ＮｏｄｅＢ
２２……ＲＮＣ
２３……ＳＧＳＮ
２４……ＧＧＳＮ
２５……ＨＳＳ
４１……ＳＬＰ
４２……ＥＢＳＣＰ
４３……エリア品質情報収集サーバ装置
４４……電波品質情報データベース（ＡＱＤＢ）
５０……ＭＴ
５１……制御信号送受信部
６０，８０……エリア品質情報測定機能部
６１……基地局測位処理要求信号受信部
６２……緯度経度情報算出部
６３……品質情報測定指示状態判定部
６４……エリア品質情報測定部
６５……アシストデータ受信部
６６……ＧＰＳ測位処理結果受信部
７１……制御信号送受信部
８１……契約情報取得部
８２……エリア品質情報測定指示付加部
【図１】
0005443553.tif 000002
【図２】
0005443553.tif 000003
【図３】
0005443553.tif 000004
【図４】
0005443553.tif 000005
【図５】
0005443553.tif 000006
【図６】
0005443553.tif 000007
【図７】
0005443553.tif 000008
【図８】
0005443553.tif 000009
【図９】
0005443553.tif 000010
【図１０】
0005443553.tif 000011
【図１１】
0005443553.tif 000012
【図１２】
0005443553.tif 000013
【図１３】
0005443553.tif 000014
【図１４】
0005443553.tif 000015
【図１５】
0005443553.tif 000016
【図１６】
0005443553.tif 000017